(57)【要約】【課題】同一画面上に二つ以上の画像を、各画像としてちらつきや違和感なく観察できる表示方法および表示装置、また、立体視できる表示方法および表示装置の提供することを目的としている。【解決手段】各画像の最終的に観察するための表示光が所望の表示光量で同一画素より得られるよう制御された表示光を表示ユニット１０より出射、画像分離ユニット１１に与える。画像分離ユニット１１は、表示ユニット１０の各画素に対応して設けられ表示ユニット１０から出射された表示光に対して、各画像の最終的に観察するための偏光子が備えられた偏光メガネ１２、１３、１４の各透過率を、各画像の最終的に観察する同一画素毎の表示光量比より、同時に制御させ、各画像を観察できるようになっている。【選択図】図１
2006301549.tif 000002
【特許請求の範囲】
【請求項１】
各画像の最終的に観察するための表示光が所望の表示光量で同一画素より得られるよう制御された表示光を出射する表示手段と、該表示手段からの表示光を各画像の表示光として分離させるための画像分離手段と、最終的に各画像を観察するための偏光子が備えられた偏光メガネ等とを備え、前記画像分離手段は、前記表示手段の各画素に対応して設けられ前記表示手段から出射された表示光に対し、最終的に各画像を観察するための偏光子が備えられた偏光メガネ等への各透過率を、各画像の最終的に観察する同一画素毎の表示光量比より、同時に制御させ、各画像へ分離することを特徴とした表示方法。
【請求項２】
請求項１記載の表示方法による表示装置において、各画像の最終的に観察するための表示光が所望の表示光量で同一画素より得られるよう制御された表示光を出射する表示ユニットと、該表示ユニットからの表示光を各画像の表示光として分離させるための画像分離ユニットと、最終的に各画像を観察するための偏光子が備えられた偏光メガネ等とを備え、前記画像分離ユニットは、前記表示ユニットの各画素に対応して設けられ前記表示ユニットから出射された表示光に対し、最終的に各画像を観察するための偏光子が備えられた偏光メガネ等への各透過率を、各画像の最終的に観察する同一画素毎の表示光量比より、同時に制御させ、各画像へ分離することを特徴とした表示装置。
【請求項３】
請求項２記載の表示装置において、前記表示ユニットと、前記画像分離ユニット間に対し、前記表示ユニットからの表示光を偏光された表示光として前記画像分離ユニットに与えるための偏光手段が備わり、前記画像分離ユニットは、前記表示ユニットから出射した表示光に対し、最終的に各画像として観察するための偏光子が備えられた偏光メガネ等への各透過率を、各画像の最終的に観察する同一画素毎の表示光量比より、同時に制御させることができるための電気光学効果をもつ物質層を有していることを特徴とした表示装置。
【請求項４】
請求項２記載、請求項３記載の表示装置において、各画像を観察できる表示モードまたは立体として観察できる表示モードと、通常の一画像のみを観察できる表示モードまたは二次元画像を観察できる表示モードとを、切り替えができることを特徴とした表示装置。
【発明の詳細な説明】
【技術分野】
【０００１】  本発明は、同一画面上に二つ以上の画像を表示し、その画像を最終的に各画像へ分離して観察ができるようにした表示方法および表示装置や同一画面上に左右両眼用の画像を表示することにより立体画像として観察することができるようにした立体画像表示方法および表示装置に関する。
【背景技術】
【０００２】  同一画面上に二つ以上の画像を映し出し、各画像を観察できる表示装置は、従来から立体表示を目的とした表示装置がほとんどで偏光メガネ等を使用して観察する表示装置では、二つ以上の投影型表示装置を用いて同一の表示画面に投影し表示するものや、また直視型表示装置では同一画面上にて表示を可能とする表示装置などもいくつか発明されおり、これらの表示装置では同一画面上に表示する画像を時間的な分割により、各画像を交互に表示し、その表示に同期させて偏光方向の制御を行うようにした表示装置や、空間的な分割により一つの画面を分割して各画像を表示させる表示装置などがある。また、時間的な分割と空間的な分割するとの双方を合わせもった表示装置などもある。
【発明の開示】
【発明が解決しようとする課題】
【０００３】  しかしながら、投影型表示装置については、二台の装置により表示画面へ投影するなど装置が大掛かりになり、また、直視型表示装置おいて、同一画面に表示する画像を時間的な分割をし、偏光メガネ等で観察する表示装置では、それぞれの画像を交互に表示してその表示に同期させて偏光方向の制御を行い、それぞれ偏光方向の異なる偏光子をもつ偏光メガネ等で観察させている表示装置、すなわち、偏光方向を制御させるための偏光方向制御手段が備わり、該偏光方向制御手段は、液晶シャッター効果を利用するもので、第一の画像または左眼用の画像を（ここでは仮に第一の画像を左眼用の画像とする）表示装置側に備わっている偏光子に対し直交ニコルまたは平行ニコルの関係となるよう観察者側の偏光メガネ等に配置して、第一の画像または左眼用の画像画像のみを観察させ、更に第二の画像または右眼用の画像を（ここでは仮に第二の画像を右眼用の画像とする）表示装置側に備わっている偏光子に対し前記の第一の画像または左眼用の画像とは異ならせた直交ニコルまたは平行二コルの関係となるよう観察者側の偏光メガネ等に配置させることで、第二の画像または右眼用の画像画像のみを観察させてる。このため各画像への切り替えによる速度が高速（１２０Ｈｚ前後、８．３ｍｓ前後）となり、切り替え速度がかなり速く偏光方向制御手段の応答速度の問題や、切り替わり時に発生する表示光の漏れなどによるフリッカの発生などで観察者に違和感を与えるなどの問題がある。また空間的な分割する方法では、実質的な表示画面の分割などで一画像分の表示が半分以下になってしまうなどの問題を解決する必要がある。【０００４】  また更に時間的な分割、空間的な分割する双方を合わせもった表示装置においても、画像の切り替えによる速度を遅く（６０Ｈｚ、１６．７ｍｓ前後）させることを可能とはしたが、やはり上記で説明したような画像の切り換えなどによるフリッカの発生など観察者に違和感を与える問題を完全に解消できているとはいえない。【０００５】  本発明では上記のような問題を解決し同一画面上に二つ以上の画像を同時に表示を行い、それぞれの画像を観察できる表示方法および表示装置、また、立体視できるための表示方法および表示装置の提供することを目的としている。
【課題を解決するための手段】
【０００６】  上記の目的を達成するために本発明の請求項１記載の表示方法は、各画像の最終的に観察するための表示光が所望の表示光量で同一画素より得られるよう制御された表示光を出射する表示手段と、該表示手段からの表示光を各画像の表示光として分離させるための画像分離手段と、最終的に各画像を観察するための偏光子が備えられた偏光メガネ等とを備え、前記画像分離手段は、前記表示手段の各画素に対応して設けられ前記表示手段から出射された表示光に対し、最終的に各画像を観察するための偏光子が備えられた偏光メガネ等への各透過率を、各画像の最終的に観察する同一画素毎の表示光量比より、同時に制御させ、各画像へ分離することを特徴としている。【０００７】  請求項２記載の表示装置において、二つ以上の画像を、各画像の最終的に観察するための表示光が所望の表示光量で同一画素より得られるよう制御された表示光を出射する表示ユニットと、該表示ユニットからの表示光を各画像の表示光として分離させるための画像分離ユニットと、最終的に各画像を観察するための偏光子が備えられた偏光メガネ等とを備え、前記画像分離ユニットは、前記表示ユニットの各画素に対応して設けられ前記表示ユニットから出射された表示光に対し、最終的に各画像を観察するための偏光子が備えられた偏光メガネ等への各透過率を、各画像の最終的に観察する同一画素毎の表示光量比より、同時に制御させ、各画像へ分離することを特徴としている。【０００８】  請求項３記載の表示装置では、前記画像分離ユニット間に対し、前記表示ユニットからの表示光を偏光された表示光として前記画像分離ユニットに与えるための偏光手段が備わり、前記画像分離ユニットは、前記表示ユニットから出射した表示光に対し、最終的に各画像として観察するための偏光子が備えられた偏光メガネ等への各透過率を、各画像の最終的に観察する同一画素毎の表示光量比より、同時に制御させることができるための電気光学効果をもつ物質層を有していることを特徴としている。【０００９】  また、請求項４記載の表示装置では、各画像を観察できる表示モードまたは立体視で観察できる表示モードと通常の一画像のみを観察できる表示モードまたは二次元画像を観察できる表示モードとを、切り替えができることを特徴としている。
【発明の効果】
【００１０】  本願において開示される発明のうち代表的なものによって得られる効果を簡単に説明すると、下記の通りである。
（１）本発明によれば、各画像の最終的に観察するための表示光が所望の表示光量で同一画素より得られるよう制御された表示光を出射する表示手段から画像分離手段に表示光を与え、該画像分離手段によって最終的に各画像を観察するための偏光子が備えられた偏光メガネ等への各透過率を、各画像の最終的に観察する同一画素毎の表示光量比より、同時に制御させることで、同一画面上へ同時に表示ができ、解像度を下げることなく各画像または、立体画像が得られる。
（２）本発明によれば、画像の切り換え等によるフリッカの発生などがない良好な各画像または、立体画像が得られる。
【発明を実施するための最良の形態】
【００１１】  各画像の最終的に観察するための表示光が所望の表示光量で同一画素より得られるよう制御された表示光を表示ユニットにより出射する。その出射された表示光は、前記表示ユニットの各画素に対応して設けられた画像を分離させるための画像分離ユニットに与えられ、該画像分離ユニットにより、前記表示ユニットから出射された表示光に対し、最終的に各画像を観察するための偏光子が備えられた偏光メガネ等への各透過率を、各画像の最終的に観察する同一画素毎の表示光量比より、同時に制御させ、各画像に分離する。
【実施例】
【００１２】  以下、本発明の表示方法および表示装置についての一実施例を図面に基づいて説明する。図１に示す表示装置は、今回実施にあたっての構成を示す斜視説明図である。各画像の最終的に観察するための表示光が所望の表示光量で同一画素より得られるよう制御された表示光を出射する表示ユニット１０と、表示ユニット１０から出射された表示光に対し、各画像へ画像を分離させるための画像分離ユニット１１とを有している。【００１３】  表示ユニット１０は、表示光を得るための光源となるバックライト１と、ｘ方向のみの偏光を通過させる偏光子２と、ｚ方向のみの偏光を通過させる偏光子６と、基板ガラス３、５と、ツイストネマティック配向液晶層４（ＴＮモードとも呼ばれている、以後ＴＮ液晶層４と記する）とを有している。今回の実施例では表示ユニット１０に、偏光子２、偏光子６とを直交ニコル配置としたノーマリーホワイトモード駆動制御の液晶表示ユニットを用いており、表示ユニット１０と画像分離ユニット１１間に対しての偏光手段として、偏光子６がそれにあたり、表示ユニット１０側に備えられている。このとき表示ユニット１０と画像分離ユニット１１間に偏光子６にあたる偏光手段を備えることにより、表示ユニット１０にその他の表示ユニットも用いることができる。例えばプラズマ表示ユニットなども採用可能となる。【００１４】  画像分離ユニット１１は、表示ユニット１０の各画素に対応して配置されており、ツイストネマティック配向液晶層８（ＴＮモードとも呼ばれている、以後ＴＮ液晶層８と記する）と、基板ガラス７、９とを有している。【００１５】  また、各画像を観察するための偏光子１２ａ、１３ａをもつ偏光メガネ１２、１３と、立体視用として左眼用と右眼用とした偏光子１４ａ、１４ｂをもつ偏光メガネ１４を用いるようになっている。【００１６】  次に、本発明の基本的な表示ユニット１０と画像分離ユニット１１についての表示方法とその作用とを説明する。図１より、表示ユニット１０から、各画像の最終的に観察するための表示光が所望の表示光量で同一画素より得られるよう制御された表示光を出射し、画像分離ユニット１１に与える。画像分離ユニット１１は、表示ユニット１０からのｚ方向に偏光された表示光に対し、各画像の最終的に観察する同一画素毎の表示光量比より、ｚ方向の偏光に対する表示光を透過する偏光子１２ａと偏光子１４ａへの透過率と、ｘ方向の偏光に対する表示光を透過する偏光子１３ａと偏光子１４ｂへの透過率をＴＮ液晶層８によって同時に制御させるようになっている。【００１７】  次に、図１に示す画像分離ユニット１１の動作原理説明を、図２、図３の画像分離ユニット１１の一部分を示す斜視概略説明図により説明する。はじめに図２より、図１に示すｘ方向の偏光に対する表示光を透過する偏光子１３ａと偏光子１４ｂへの表示について説明をする。図２に示す偏光子（６）は図１に示す表示ユニット１０側に備えられた偏光子６とし、図２に示す偏光子ｘ１は図１に示す偏光子１３ａと偏光子１４ｂに対応した偏光子とする。また、図１の基板ガラス７は図２に示す基板ガラス（７）とし、図１の基板ガラス９は、図２に示す基板ガラス（９）として、図１に示すＴＮ液晶層８は図２に示すＴＮ液晶層（８）とする。このとき偏光子（６）と偏光子ｘ１は直交ニコルの配置となる。画像分離ユニット１１の制御状態として電圧無印加状態とすると、偏光子（６）を透過して偏光方向６ａに示すｚ方向に偏光された表示光ｐは、基板ガラス（７）を通過してＴＮ液晶層（８）に入射する。入射した表示光ｐは、ＴＮ液晶層（８）の液晶分子が螺旋状に９０°ねじれた状態となっているため、液晶分子にしたがってＴＮ液晶層（８）内を９０°旋光して基板ガラス（９）まで通過、偏光子ｘ１に与える。偏光子ｘ１の偏光方向ｘ２はｘ方向に偏光された表示光を透過させるため、表示光ｐは偏光方向８ａのｘ方向となるため偏光子ｘ１を透過する。また、画像分離ユニット１１の制御状態として電圧印加状態とすると、偏光子（６）を透過して偏光方向６ａに示すｚ方向に偏光された表示光ｐは基板ガラス（７）を通過し、ＴＮ液晶層（８）に入射する。ＴＮ液晶層（８）の液晶分子が螺旋状に９０°ねじれた状態から、液晶分子の長軸方向が基板ガラス（７）と基板ガラス（９）の表面に対して垂直となり表示光ｐは偏光方向を変化させず基板ガラス（９）まで通過し、偏光子ｘ１に与える。偏光子ｘ１の偏光方向ｘ２はｘ方向に偏光された表示光のみを透過させるため、表示光ｐは偏光方向８ｂのｚ方向となっているため遮断される。したがって、図１に示す偏光子１３ａと偏光子１４ｂへの表示制御は電圧無印加状態では表示光ｐの透過を示し、電圧印加状態にすると表示光ｐの遮断を示すこととなる。このような動作制御モードを通常の単一の画像を表示または二次元画像を表示させる表示装置に例えると、いわゆるノーマリーホワイトモード駆動制御の表示装置と同じような制御となる。【００１８】  また図３より、図１に示すｚ方向の偏光に対する表示光を透過する偏光子１２ａと偏光子１４ａへの表示について説明をする。図３に示す偏光子（６）は図１に示す表示ユニット１０側に備えられた偏光子６とし、図３に示す偏光子ｘ３は図１に示す偏光子１２ａと偏光子１４ａに対応した偏光子としている。また、図１の基板ガラス７は図３に示す基板ガラス（７）とし、図１の基板ガラス９は、図３に示す基板ガラス（９）として、図１に示すＴＮ液晶層８は図３に示すＴＮ液晶層（８）とする。このとき偏光子（６）と偏光子ｘ３は平行ニコルの配置となる。画像分離ユニット１１の制御状態として電圧無印加状態とすると、偏光子（６）を透過して、偏光方向６ａに示すｚ方向に偏光された表示光ｐは、基板ガラス（７）を通過してＴＮ液晶層（８）に入射する。入射した表示光ｐは、ＴＮ液晶層（８）の液晶分子が螺旋状に９０°ねじれた状態となっているため、液晶分子にしたがってＴＮ液晶層（８）内を９０°旋光して基板ガラス（９）まで通過、偏光子ｘ３に与える。偏光子ｘ３の偏光方向ｘ４はｚ方向に偏光された表示光のみを透過させるため、表示光ｐは偏光方向８ｃのｘ方向となっているため偏光子ｘ３により遮断される。また、画像分離ユニット１１の制御状態として電圧印加状態とすると、偏光子（６）を透過して偏光方向６ａに示すｚ方向に偏光された表示光ｐは、基板ガラス（７）を通過し、ＴＮ液晶層（８）に入射する。ＴＮ液晶層（８）の液晶分子は螺旋状に９０°ねじれ���状態から液晶分子の長軸方向が基板ガラス（７）と基板ガラス（９）の表面に対して垂直となり表示光ｐは、偏光方向を変化させず基板ガラス（９）まで通過し偏光子ｘ３に与える。偏光子ｘ３の偏光方向ｘ４はｚ方向に偏光された表示光を透過させるため、表示光ｐは偏光方向８ｄのｚ方向となっているため偏光子ｘ３を透過する。したがって、図１に示す偏光子１２ａと偏光子１４ａへの表示制御は電圧無印加状態では表示光ｐの遮断を示し、電圧印加状態にすると表示光ｐの透過を示すこととなる。このような動作制御モードを通常の単一の画像を表示または二次元画像を表示させる表示装置に例えると、いわゆるノーマリーブラックモード駆動制御と同じような制御となる。【００１９】  上記の説明からわかるように画像分離ユニット１１の制御をｘ方向の偏光に対する表示光を透過する図１に示す偏光子１３ａと偏光子１４ｂへの透過率制御を通常の単一の画像を表示または二次元画像を表示させる表示装置に例えるノーマリーホワイトモード駆動制御となり、同時にｚ方向の偏光に対する表示光を透過する図１に示す偏光子１２ａと偏光子１４ａへの透過率制御を通常の単一の画像を表示または二次元画像を表示させる表示装置に例えるノーマリーブラックモード駆動制御となる。すなわち、電圧印加状態では、ノーマリーホワイトモード駆動制御からみると、黒の表示を示し、これと同時にノーマリーブラックモード駆動制御からみると、白の表示を示すことになる。また、電圧無印加状態では、ノーマリーホワイトモード駆動制御からみると、白の表示を示し、これと同時にノーマリーブラックモード駆動制御からみると、黒の表示を示すことになる。このことは、黒表示と白表示とのあいだの中間調を示す制御を行う場合であっても、例えばノーマリーホワイトモード駆動制御からみる透過率を上げる制御を行うとすると、ノーマリーブラックモード駆動制御からみる透過率が下がる制御となり、また、ノーマリーホワイトモード駆動制御からみる透過率を下げる制御を行うとすると、ノーマリーブラックモード駆動制御からみる透過率が上がる制御となる。これらのことから、各画像を分離するための制御として、各画像の最終的に観察するための同一画素毎の表示光量比により、透過率制御を同時にできることが可能であり、これにより各画像への透過率制御を同時にさせ、画像の分離が実現できる。【００２０】  また、このときの表示ユニット１０の出射する表示光ｐの表示光量は、各画像の最終的に観察するための表示光量を得るために、常に両画像の表示光量が同一画素より得られるように制御させて出射することとなる。これにより図１に示す表示ユニット１０は、両画像の最終的に観察する同一画素毎の表示光量に応じて、同一画素より両表示光量を得られるための表示光量で、表示光ｐが出射されるよう制御することが重要となる。更に各画像の表示光となる最大表示光量は、各画像が同じような彩度、明度で観察者に観察できるようにするため、表示ユニット１０から出射できる表示光ｐの最大表示光量の半分以下に設定、制御することがこのましい。【００２１】  次は表示画面全体への表示ユニット１０と画像分離ユニット１１の制御例を図４、図５より説明する。図４（ｃ）、図４（���）は観察者が観察する表示の一例である。図４（ｃ）は、表示光がｚ方向に偏光された表示光でそのｚ方向を透過する偏光子をもつ偏光メガネにより観察できる画像とし、また、図４（ｄ）は、表示光がｘ方向に偏光された表示光でそのｘ方向を透過する偏光子をもつ偏光メガネで観察できる画像として、更に１ｍと１ｎは最大表示光量での表示領域と、２ｍと２ｎは最大表示光量の半分の表示光量で観察できる表示領域とするとき、図４（ｃ）、図４（ｄ）の表示例から、図５（１１）より画像分離ユニット１１の制御例を説明すると、図４（ｃ）、図４（ｄ）の各表示する領域に対しての表示光量比は、１ｍ：１ｎ＝１：１の比となりこの比により画像分離ユニット１１は、図５（１１）に示す１１ａの領域に対して、ｚ方向に偏光された表示光を透過する表示光量：ｘ方向に偏光された表示光を透過する表示光量＝１：１を示すよう領域内の各画素に対する透過率制御を行う。【００２２】  次に、図５（１１）に示す１１ｂの領域に対しては、図４（ｃ）に示す２ｍ領域からｚ方向に偏光された表示光に対しては最大表示光量の半分、また図４（ｄ）に示す１ｎ領域からｘ方向に偏光された表示光に対しては最大表示光量なので、表示光量比は、２ｍ：１ｎ＝０．５：１となり画像分離ユニット１１は、図５（１１）に示す１１ｂの領域に対して、ｚ方向に偏光された表示光を透過する表示光量：ｘ方向に偏光された表示光を透過する表示光量＝０．５：１を示すよう領域内の各画素に対する透過率制御を行う。【００２３】  更に、図５（１１）に示す１１ｃの領域に対しては、図４（ｃ）、図４（ｄ）から両画像の最大表示光量の半分で表示される領域で、各表示する領域に対しての表示光量比は、２ｍ：２ｎ＝１：１の比となるため画像分離ユニット１１は、図５（１１）に示す１１ｃの領域に対して、ｚ方向に偏光された表示光を透過する表示光量：ｘ方向に偏光された表示光を透過する表示光量＝１：１を示すよう領域内の各画素に対する透過率制御を行う。【００２４】  また、図５（１１）に示す１１ｄの領域に対しては、図４（ｃ）に示す１ｍ領域からｚ方向に偏光された表示光に対しては最大表示光量となり、図４（ｄ）に示す２ｎ領域からｘ方向に偏光された表示光に対しては最大表示光量の半分で表示される領域となるため、表示光量比は、１ｍ：２ｎ＝１：０．５となり画像分離ユニット１１は、図５（１１）に示す１１ｄの領域に対して、ｚ方向に偏光された表示光を透過する表示光量：ｘ方向に偏光された表示光を透過する表示光量＝１：０．５を示すよう領域内の各画素に対する透過率制御を行う。【００２５】  次に、図４（ｃ）、図４（ｄ）の各表示する領域に対しての表示光量から、図５（１０）より表示ユニット１０の各領域への表示光量制御について説明する。１０ａの領域については、図４（ｃ）、図４（ｄ）の１ｍ、１ｎの領域となり、両画像とも最大表示光量で表示されるため、表示ユニット１０の表示光量として最大表示光量で出射されるよう領域内の各画素に対する表示制御を行う。また、１０ｂ領域については、図４（ｃ）の２ｍ領域となり最大表示光量の半分の表示光量で表示する領域、図４（ｄ）では１ｎの領域で最大表示光量で表示する領域となる。これにより��示ユニット１０の表示光量は、図４（ｃ）の２ｍと図４（ｄ）の１ｎとの両表示光量を得られるための表示光量で出射されるよう領域内の各画素に対する表示制御を行う。また、１０ｃの領域に対しては、図４（ｃ）の１ｍ領域となり最大表示光量の領域、図４（ｄ）では２ｎ領域となり最大表示光量の半分の領域となる。これにより表示ユニット１０の表示光量は、図４（ｃ）の１ｍと図４（ｄ）の２ｍの両表示光量を得られるための表示光量で出射されるよう領域内の各画素に対する表示制御を行う。次に１０ｄの領域に対しては、図４（ｃ）の２ｍ、図４（ｄ）の２ｎ領域となり共に最大表示光量の半分の領域となる。表示ユニット１０の表示光量は、図４（ｃ）の２ｍ、図４（ｄ）の２ｎの両表示光量を得られるための表示光量で表示光が出射されるよう領域内の各画素に対する表示制御を行う。このときの１０ａ、１０ｂ、１０ｃ、１０ｄの領域の中では１０ａの領域の表示光量が最大となり、また、１０ｂと１０ｃの領域に対しては両領域とも同じ表示光量となる。更に１０ｄの領域の表示光量に対してはこのときの最小となる。このようにして表示ユニット１０、画像分離ユニット１１を制御させることによって図４（ｃ）、図４（ｄ）の各画像を解像度を下げることなく同一画面上から同時に観察させることができる。【００２６】  また、各画像を観察できる表示モードまたは立体視で観察できる表示モードと、通常の一画像のみを観察できる表示モードまたは二次元画像を観察できる表示モードとして、表示ユニット１０に対し一画像のみの表示駆動制御を行わせるように切り替えることで画像分離ユニット１１の制御状態にかかわらず裸眼にての観察することもできる。【００２７】  以上により本発明の一実施例について述べてきたが、本発明の一実施例に過ぎず、上記一実施例に限定されることなく本発明の技術的思想に基づいて各種の変更が可能である。例えば上記一実施例で示した直視型の表示装置の他、投影型の表示装置としても使用が可能であり、また表示ユニットについても上記一実施例で示している液晶表示ユニット以外にも、プラズマ表示ユニット等表示ユニットの種類によらず適用が可能である。更にこの他、画像分離ユニットの電気光学効果をもつ物質層についても、上記一実施例ではＴＮ液晶層を採用しているが、強誘電液晶層の他、このとき使用する電気光学効果をもつ物質層により上記一実施例と同じような効果を得るために使用する偏光子に位相差フイルム等を組み合わせることで適用可能となる。更に、本発明は、カラー表示も表示ユニット、画像分離ユニットの画素に対し、各赤色、緑色、青色の画素として制御させることにより可能となる。
【図面の簡単な説明】
【図１】本発明にかかる表示装置の一実施例の構成を示す斜視説明図である。
【図２】図１の表示装置の画像分離ユニット１１についての動作原理を説明する斜視概略説明図である。
【図３】図１の表示装置の画像分離ユニット１１についての動作原理を説明する斜視概略説明図である。
【図４】（ｃ）、（ｄ）は、最終的に観察される表示画面の一例の表示状態を示す図である。
【図５】（１０）、（１１）は、図４により表示画面全体に表示される表示ユニット１０と画像分離ユニット１１の駆動状態を示す図である。
【符号の説明】
１                    バックライト
２                    偏光子
３                    基板ガラス
４                    ＴＮ液晶層
５                    基板ガラス
６                    偏光子
７                    基板ガラス
８                    ＴＮ液晶層
９                    基板ガラス
１０                  表示ユニット
１１                  画像分離ユニット
１２                  偏光メガネ
１２ａ                偏光子
１３                  偏光メガネ
１３ａ                偏光子
１４                  偏光メガネ
１４ａ                偏光子
１４ｂ                偏光子
ｘ１                  偏光子
ｘ３                  偏光子
【図１】
2006301549.tif 000003
【図２】
2006301549.tif 000004
【図３】
2006301549.tif 000005
【図４】
2006301549.tif 000006
【図５】
2006301549.tif 000007